(57)【要約】【課題】短時間でクロマトグラフィー試験片の呈色の度合いを測定できる簡易な構造のクロマトグラフィー試験片呈色測定装置の提供【解決手段】  測定光投光ＬＥＤ１１１から投光された測定光のうち一部は、第１測定光生成開口１２１ａを通過し、テストライン形成領域Ｌ１００ａへ向かう第１測定光となり、クロマトグラフィー試験片Ｃ１００の試験面Ｐ１００で反射した測定光のうち、試験面Ｐ１００に対して垂直な方向へ向かう反射光が、第１反射光となり、第１反射光受光１１５ａによって検知し、検知した第１反射光を用いて、テストライン形成領域Ｌ１００ａにおける呈色の度合いを測定する。コントロールライン形成領域Ｌ１００ｂについても同様である。１回の測定光投光ＬＥＤ１１１からの投光によって、同時に、テストライン形成領域Ｌ１００ａ、コントロールライン形成領域Ｌ１００ｂにおける呈色の度合いを測定できる。【選択図】  図３
2017201282.tif 000002
【特許請求の範囲】
【請求項１】
第１の反応領域及び第２の反応領域を有するクロマトグラフィー試験片に対して、検知光を投光し、前記第１反応領域及び前記第２反応領域からの前記検知光の反射光を受光するクロマトグラフィー試験片呈色測定装置において、
所定の測定位置に配置された前記クロマトグラフィー試験片に対して、前記検知光を投光する投光手段、
前記検知光のうち、前記測定位置に配置された前記クロマトグラフィー試験片の前記第１反応領域に向かうものを第１検知光として透過する第１検知光生成開口を有する第１検知光生成手段、
前記検知光のうち、前記測定位置に配置された前記クロマトグラフィー試験片の前記第２反応領域に向かうものを第２検知光として透過する第２検知光生成開口を有する第２検知光生成手段、
前記第１反応領域から反射した前記第１検知光を第１反射光として透過する第１反射光生成開口を有する第１反射光生成手段、
前記第２反応領域から反射した前記第２検知光を第２反射光として透過する第２反射光生成開口を有する第２反射光生成手段、
前記第１反射光を受光する第１受光手段、
前記第２反射光を受光する第２受光手段、
を有するクロマトグラフィー試験片呈色測定装置。
【請求項２】
請求項１に係るクロマトグラフィー試験片呈色測定装置において、
前記投光手段と前記第１受光手段との間に配置される第１検知光遮断手段、
前記投光手段と前記第２受光手段との間に配置される第２検知光遮断手段、
を有するクロマトグラフィー試験片呈色測定装置。
【請求項３】
請求項１または請求項２に係るクロマトグラフィー試験片呈色測定装置において、
前記第１検知光生成開口は、
前記測定位置に配置された前記クロマトグラフィー試験片において前記第１反応領域が形成されている位置の垂直方向に形成されていること、
を特徴とするクロマトグラフィー試験片呈色測定装置。
【請求項４】
請求項１〜請求項３のいずれかに係るクロマトグラフィー試験片呈色測定装置において、
前記第２検知光生成開口は、
前記測定位置に配置された前記クロマトグラフィー試験片において前記第２反応領域が形成されている位置の垂直方向に形成されていること、
を特徴とするクロマトグラフィー試験片呈色測定装置。
【請求項５】
請求項１〜請求項３のいずれかに係るクロマトグラフィー試験片呈色測定装置において、
前記第１検知光生成開口、前記第２検知光生成開口、第１反射光生成開口、及び、第２反射光生成開口は、一直線上に形成されること、
を特徴とするクロマトグラフィー試験片呈色測定装置。
【発明の詳細な説明】
【技術分野】
【０００１】
本発明は、クロマトグラフィー試験片の呈色の度合いを測定するクロマトグラフィー試験片呈色測定装置に関し、特に、簡易な構造で、短時間に呈色の度合いを測定できるものに関する。
【背景技術】
【０００２】
従来のクロマトグラフィー試験片呈色測定装置について、図７に示す免疫クロマト試験片の測定装置１ａを用いて説明する。測定装置１ａは、免疫クロマト試験片４１に形成された呈色ライン（反応ライン）であるテストラインＴＬ及びコントロールラインＣＬに測定光を照射し、その反射光の強度を検出することにより呈色ラインＴＬ及びＣＬの呈色度（反応度）を測定する装置である。測定装置１ａでは、測定者が検体を検体点着部４１ａに滴下したのち、発光素子２１が、免疫クロマト試験片４１の第１の位置（すなわち帯状領域４１ｃ）に測定光を照射する。そして、その反射光を光検出素子２２が受け、光強度に応じた電気信号に変換する。電気信号は制御部１３へ送られ、制御部１３は、この電気信号に基づいて第１の位置（帯状領域４１ｃ）における反射光強度を検知する（ステップＳ３）。
【０００３】
続いて、制御部１３は、第１の位置より下流側の免疫クロマト試験片４１上の第２の位置からの反射光を検出するように載置プレート１１と光学ヘッド３とを相対移動させる。制御部１３は発光素子３１を点灯させ、発光素子３１が、免疫クロマト試験片４１の第２の位置（すなわち帯状領域４１ｄ）に測定光を照射する。そして、その反射光を光検出素子３２が受け、光強度に応じた電気信号に変換する。電気信号は制御部１３へ送られ、制御部１３は、この電気信号に基づいて第２の位置（帯状領域４１ｄ）における反射光強度を検知する（ステップＳ７）（特許文献１）。
【先行技術文献】
【特許文献】
【０００４】
【特許文献１】特開２００８−１７０１８７号公報
【発明の概要】
【発明が解決しようとする課題】
【０００５】
前述の従来の測定装置１ａでは、以下に示す改善すべき点がある。測定装置１ａでは、免疫クロマト試験片４１のテストラインＴＬ及びコントロールラインＣＬの呈色の度合いを測定するにあたり、テストラインＴＬ及びコントロールラインＣＬに対応したそれぞれの位置で、発光素子３１を点灯する必要がある。つまり、最低でも２回は発光素子３１を点灯させる必要があるため、測定に時間がかかる、という改善すべき点がある。
【０００６】
また、発光素子３１の位置が固定されているため、免疫クロマト試験片４１を移動させる必要があり、そのための移動機構も配置する必要がある。つまり、免疫クロマト試験片４１を移動させるための時間が必要となり、さらに時間がかかる、という改善すべき点がある。また、移動機構を配置し、移動機構の動作制御する必要があるため、測定装置１ａが複雑な構造となる、という改善すべき点がある。
【０００７】
そこで、本発明は、短時間でクロマトグラフィー試験片の呈色の度合いを測定できる簡易な構造のクロマトグラフィー試験片呈色測定装置を提供することを目的とする。
【発明の効果】
【０００８】
本発明における課題を解決するための手段及び発明の効果を以下に示す。
【０００９】
本発明に係るクロマトグラフィー試験片呈色測定装置は、第１の反応領域及び第２の反応領域を有するクロマトグラフィー試験片に対して、検知光を投光し、前記第１反応領域及び前記第２反応領域からの前記検知光の反射光を受光するクロマトグラフィー試験片呈色測定装置において、所定の測定位置に配置された前記クロマトグラフィー試験片に対して、前記検知光を投光する投光手段、前記検知光のうち、前記測定位置に配置された前記クロマトグラフィー試験片の前記第１反応領域に向かうものを第１検知光として透過する第１検知光生成開口を有する第１検知光生成手段、前記検知光のうち、前記測定位置に配置された前記クロマトグラフィー試験片の前記第２反応領域に向かうものを第２検知光として透過する第２検知光生成開口を有する第２検知光生成手段、前記第１反応領域から反射した前記第１検知光を第１反射光として透過する第１反射光生成開口を有する第１反射光生成手段、前記第２反応領域から反射した前記第２検知光を第２反射光として透過する第２反射光生成開口を有する第２反射光生成手段、前記第１反射光を受光する第１受光手段、前記第２反射光を受光する第２受光手段、を有する。
【００１０】
これにより、１回の投光手段からの投光によって、同時に、クロマトグラフィー試験片の第１反応領域、第２反応領域における呈色の度合いを測定できる。つまり、短時間でクロマトグラフィー試験片の呈色の度合いを測定できる。
また、同時に第１反応領域、第２反応領域における呈色の度合いを測定するので、検知光を投光する位置において、クロマトグラフィー試験片を第１反応領域から第２反応領域まで移動させる移動機構を必要としない。つまり、簡易な構造でクロマトグラフィー試験片の呈色の度合いを測定できる。
【００１１】
本発明に係るクロマトグラフィー試験片呈色測定装置は、前記投光手段と前記第１受光手段との間に配置される第１検知光遮断手段、前記投光手段と前記第２受光手段との間に配置される第２検知光遮断手段、を有する。
【００１２】
これにより、第１受光手段、第２受光手段における第１反射光、第２反射光に対する受光感度を高くできる。よって、より精緻な測定が可能となる。
【００１３】
本発明に係るクロマトグラフィー試験片呈色測定装置では、前記第１検知光生成開口は、前記測定位置に配置された前記クロマトグラフィー試験片において前記第１反応領域が形成されている位置の垂直方向に形成されていること、を特徴とする。
【００１４】
これにより、クロマトグラフィー試験片から第１受光手段までの距離を最小にできる。よって、第１反射光の減衰を最小にできるため、より精緻な測定が可能となる。
【００１５】
本発明に係るクロマトグラフィー試験片呈色測定装置では、前記第２検知光生成開口は、前記測定位置に配置された前記クロマトグラフィー試験片において前記第２反応領域が形成されている位置の垂直方向に形成されていること、を特徴とする。
【００１６】
これにより、クロマトグラフィー試験片の試験面から第２受光手段までの距離を最小にできる。よって、第２反射光の減衰を最小にできるため、より精緻な測定が可能となる。
【００１７】
本発明に係るクロマトグラフィー試験片呈色測定装置では、前記第１検知光生成開口、前記第２検知光生成開口、第１反射光生成開口、及び、第２反射光生成開口は、一直線上に形成されること、を特徴とする。
【００１８】
これにより、簡易な構造でクロマトグラフィー試験片の呈色の度合いを測定できる。
【図面の簡単な説明】
【００１９】
【図１】本発明に係るクロマトグラフィー試験片呈色測定装置に係るクロマトグラフィー試験片呈色測定装置１００の全体斜視図である。
【図２】クロマトグラフィー試験片呈色測定装置１００で用いるクロマトグラフィー試験片保持部材１０３を示す図であり、Ａは平面図を、Ｂは正面図を、それぞれ示す。
【図３】クロマトグラフィー試験片呈色測定装置１００の内部光学系の概要を示す図である。
【図４】測定光調整部材１１３の平面図である。
【図５】その他のクロマトグラフィー試験片呈色測定装置における測定光調整部材を示す断面図である。
【図６】その他のクロマトグラフィー試験片呈色測定装置における測定光調整部材を示す断面図である。
【図７】従来のクロマトグラフィー試験片呈色測定装置を示す図である。
【発明を実施するための形態】
【００２０】
以下、本発明の実施例について、図面を参照しながら詳細に説明していく。
【実施例１】
【００２１】
第１  クロマトグラフィー試験片呈色測定装置１００の構成
本発明に係るクロマトグラフィー試験片測定装置の一実施形態であるクロマトグラフィー試験片呈色測定装置１００の構成について図１を用いて説明する。クロマトグラフィー試験片呈色測定装置１００は、クロマトグラフィー試験片の呈色の度合いを、所定の測定光を用いて測定する装置である。
【００２２】
図１にクロマトグラフィー試験片呈色測定装置１００の斜視図を示す。クロマトグラフィー試験片呈色測定装置１００は、内部に、クロマトグラフィー試験片Ｃ１００の呈色の度合いを測定する光学系、及び、光学系を利用した測定を制御する制御回路等を有している。また、クロマトグラフィー試験片呈色測定装置１００は、内部に、クロマトグラフィー試験片を保持するクロマトグラフィー試験片保持部材１０３を、内部の所定の測定位置に導入するためのクロマトグラフィー試験片保持部材導入機構を有している。なお、クロマトグラフィー試験片保持部材導入機構は、クロマトグラフィー試験片保持部材１０３を配置するための導入トレイ１００Ｔを有している。導入トレイ１００Ｔは、所定位置にクロマトグラフィー試験片保持部材１０３を保持する。
【００２３】
クロマトグラフィー試験片呈色測定装置１００は、外部に、制御回路やクロマトグラフィー試験片保持部材導入機構を動作させるための操作ボタンや情報を表示するための画面が配置される操作領域１００Ｂを有している。また、クロマトグラフィー試験片呈色測定装置１００は、外部のコンピュータＭ１００と接続するための接続端子を背面に有し、外部のコンピュータと情報の送受信を行うことができる。
【００２４】
１．クロマトグラフィー試験片保持部材１０３
クロマトグラフィー試験片保持部材１０３について、図２を用いて説明する。図２Ａに、クロマトグラフィー試験片保持部材１０３の平面図を、図２Ｂにクロマトグラフィー試験片保持部材１０３の正面図を、それぞれ示す。図２Ａ、Ｂに示すように、クロマトグラフィー試験片保持部材１０３は、直方体形状を有している。クロマトグラフィー試験片保持部材１０３は、内部に、クロマトグラフィー試験片Ｃ１００を保持する。
【００２５】
クロマトグラフィー試験片Ｃ１００は、ニトロセルロースメンブレンや濾紙などの平面の薄層材からなり、長方形状を有している。図２Ｂに示すように、クロマトグラフィー試験片Ｃ１００は、薄層材の所定の一面Ｐ１００（以下、試験面Ｐ１００）側に、検体点着領域Ｒ１００ａ、試験領域Ｒ１００ｂを有している。検体点着領域Ｒ１００ａは、クロマトグラフィー試験片Ｃ１００の一端部側に形成される。試験領域Ｒ１００ｂは、検体点着領域Ｒ１００ａから中央寄りに形成される。
【００２６】
クロマトグラフィー試験片Ｃ１００は、試験領域Ｒ１００ｂにおいて、所定位置に形成されるテストライン形成領域Ｌ１００ａ、及び、コントロールライン形成領域Ｌ１００ｂを有している。テストライン形成領域Ｌ１００ａは、クロマトグラフィー試験片Ｃ１００の長手方向である検体流動方向（矢印ａ２方向）と交差する方向に、所定幅の線状領域として形成される。コントロールライン形成領域Ｌ１００ｂについても同様である。なお、テストライン形成領域Ｌ１００ａとコントロールライン形成領域Ｌ１００ｂとは、平行に、所定間隔で形成される。
【００２７】
テストライン形成領域Ｌ１００ａには、検体中の抗原（又は抗体）と所定の抗原抗体反応を生じる抗体（又は抗原）がライン状（帯状）に塗布されている。また、コントロールライン形成領域Ｌ１００ｂには、所定の色素で標識された、検体中の抗原（又は抗体）と結合する抗体（または抗原）に対して、所定の抗原抗体反応を生じる抗体（又は抗原）がライン状（帯状）に塗布されている。
【００２８】
図２Ａに示すように、クロマトグラフィー試験片保持部材１０３は、内部にクロマトグラフィー試験片Ｃ１００を保持した際のクロマトグラフィー試験片Ｃ１００の試験面Ｐ１００が位置する側に、検体点着用開口１０３ａ、呈色測定用開口１０３ｂを有している。なお、検体点着用開口１０３ａは、クロマトグラフィー試験片保持部材１０３の内部にクロマトグラフィー試験片Ｃ１００を保持したときに、クロマトグラフィー試験片Ｃ１００の検体点着領域Ｒ１００ａに位置するように形成される。同様に、呈色測定用開口１０３ｂは、試験領域Ｒ１００ｂに位置するように形成される。
【００２９】
クロマトグラフィー試験片呈色測定装置１００を使用する際は、使用者は、使用に先立ち、クロマトグラフィー試験片保持部材１０３にクロマトグラフィー試験片Ｃ１００をｈ持させ、測定する検体を、検体点着用開口１０３ａからクロマトグラフィー試験片Ｃ１００の検体点着領域Ｒ１００ａに滴下する。検体中の抗原（又は抗体）は所定の色素と結合し、色素と結合した抗原（又は抗体）や未反応の色素は、クロマトグラフィー試験片Ｃ１００の試験領域Ｒ１００ｂを検体流動方向（矢印ａ２方向）に移動する。
【００３０】
検体中に含まれている抗原が、テストライン形成領域Ｌ１００ａにおいて抗原抗体反応するものである場合、検体の移動に伴い、テストライン形成領域Ｌ１００ａにおいてテストライン形成領域Ｌ１００ａに固定されている抗体と特異的に反応し、テストライン形成領域Ｌ１００ａが色素により呈色する。一方、未反応の色素は、コントロールライン形成領域Ｌ１００ｂにおいて、コントロールライン形成領域Ｌ１００ｂに固定されている抗体と特異的に反応し、コントロールライン形成領域Ｌ１００ｂが色素により呈色する。
【００３１】
２．内部光学系
クロマトグラフィー試験片呈色測定装置１００の内部に配置される測定用の内部光学系について、図３に示す内部光学系の簡易図を用いて説明する。なお、図３においては、クロマトグラフィー試験片保持部材１０３を平面状に示している。クロマトグラフィー試験片保持部材１０３は、導入トレイ１００Ｔ（図１参照）を介して、クロマトグラフィー試験片呈色測定装置１００における所定の測定位置で保持される。クロマトグラフィー試験片呈色測定装置１００は、測定光を投光する測定光投光ＬＥＤ（ｌｉｇｈｔ  ｅｍｉｔｔｉｎｇ  ｄｉｏｄｅ）１１１、測定光調整部材１１３、反射光を受光する第１反射光受光（Ｐｈｏｔｏｄｉｏｄｅ）１１５ａ、第２反射光受光１１５ｂ、測定光遮断部材１１７を有している。
【００３２】
測定光投光ＬＥＤ１１１は、測定位置に位置するクロマトグラフィー試験片保持部材１０３が保持するクロマトグラフィー試験片Ｃ１００の試験面Ｐ１００側に配置される。測定光投光ＬＥＤ１１１は、クロマトグラフィー試験片保持部材１０３に向かう方向に測定光を投光する。
【００３３】
測定光調整部材１１３は、測定光投光ＬＥＤ１１１と、測定位置に位置するクロマトグラフィー試験片保持部材１０３との間に位置する板状の部材である。測定光調整部材１１３は、測定光を遮光する遮光性を有している。測定光調整部材１１３は、第１測定光生成開口１２１ａ、第１反射光生成開口１２３ａ、第２測定光生成開口１２１ｂ、及び、第２反射光生成開口１２３ｂを有している。第１測定光生成開口１２１ａ、第１反射光生成開口１２３ａ、第２測定光生成開口１２１ｂ、及び、第２反射光生成開口１２３ｂは、それぞれ、円形の開口である。
【００３４】
第１測定光生成開口１２１ａは、測定光調整部材１１３において、測定光投光ＬＥＤ１１１と測定位置に位置するクロマトグラフィー試験片保持部材１０３のテストライン形成領域Ｌ１００ａが形成されている位置とを結ぶ線と、測定光調整部材１１３とが交差する位置に形成される。測定光投光ＬＥＤ１１１から投光された測定光のうち第１測定光生成開口１２１ａを通過した測定光は、クロマトグラフィー試験片Ｃ１００のテストライン形成領域Ｌ１００ａへ向かい、テストライン形成領域Ｌ１００ａにおける呈色の度合いを測定するための第１測定光として機能する。
【００３５】
第１反射光生成開口１２３ａは、測定光調整部材１１３において、クロマトグラフィー試験片Ｃ１００においてテストライン形成領域Ｌ１００ａが形成されている位置で、クロマトグラフィー試験片Ｃ１００の試験面Ｐ１００に対して垂直な方向に形成されている。第１測定光のうち、クロマトグラフィー試験片Ｃ１００の試験面Ｐ１００に垂直な方向へ向かう反射光は、第１反射光として機能する。
【００３６】
第２測定光生成開口１２１ｂは、測定光調整部材１１３において、測定光投光ＬＥＤ１１１と測定位置に位置するクロマトグラフィー試験片保持部材１０３のコントロールライン形成領域Ｌ１００ｂが形成されている位置とを結ぶ線と、測定光調整部材１１３とが交差する位置に形成される。測定光投光ＬＥＤ１１１から投光された測定光のうち第２測定光生成開口１２１ｂを通過した測定光は、クロマトグラフィー試験片Ｃ１００のコントロールライン形成領域Ｌ１００ｂへ向かい、コントロールライン形成領域Ｌ１００ｂにおける呈色の度合いを測定するための第２測定光として機能する。
【００３７】
第２反射光生成開口１２３ｂは、測定光調整部材１１３において、クロマトグラフィー試験片Ｃ１００においてコントロールライン形成領域Ｌ１００ｂが形成されている位置で、クロマトグラフィー試験片Ｃ１００の試験面Ｐ１００に対して垂直な方向に形成されている。第２測定光のうち、クロマトグラフィー試験片Ｃ１００の試験面Ｐ１００に垂直な方向へ向かう反射光は、第２反射光として機能する。
【００３８】
測定光遮断部材１１７は、測定光投光ＬＥＤ１１１の周囲を取り囲むように形成される円筒形状部材である。測定光遮断部材１１７は、クロマトグラフィー試験片保持部材１０３側の端部において、測定光調整部材１１３に接続している。なお、測定光調整部材１１３及び測定光遮断部材１１７は、一体として形成される。
【００３９】
測定光遮断部材１１７では、測定光調整部材１１３から測定光調整部材１１３に接続する端部とは異なる端部までの距離が、測定光調整部材１１３から測定光投光ＬＥＤ１１１が配置されている位置までの距離よりも長い。これにより、測定光投光ＬＥＤ１１１を測定光遮断部材１１７の内部空間に納めることができる。つまり、測定光投光ＬＥＤ１１１が投光する測定光を、測定光遮断部材１１７の外部に漏らさないようにできるため、第１反射光受光１１５ａ、第２反射光受光１１５ｂが、測定光投光ＬＥＤ１１１からの測定光を直接的に受光することを防止できる。よって、第１反射光受光１１５ａ、第２反射光受光１１５ｂにおける第１反射光、第２反射光に対する受光感度を高くできるため、より精緻な測定が可能となる。
【００４０】
図４に、測定光調整部材１１３を測定光投光ＬＥＤ１１１が配置されている側からみた平面図を示す。なお、図４においては、測定光投光ＬＥＤ１１１、第１反射光受光ＰＤ１１５ａ、第２反射光受光ＰＤ１１５ｂを、それぞれ点線で示している。図４に示すように、第１測定光生成開口１２１ａ、及び、第２測定光生成開口１２１ｂは、測定光調整部材１１３に対する測定光投光ＬＥＤ１１１の投影位置を中心に、ほぼ対象な位置に形成される。また、第１反射光生成開口１２３ａ、及び、第２反射光生成開口１２３ｂは、測定光調整部材１１３に対する測定光投光ＬＥＤ１１１の投影位置を中心に、ほぼ対象な位置に形成される。さらに、第１測定光生成開口１２１ａ、第１反射光生成開口１２３ａ、第２測定光生成開口１２１ｂ、及び、第２反射光生成開口１２３ｂは、一直線上に形成される。
【００４１】
図３に示すように、測定光投光ＬＥＤ１１１から投光された測定光のうち一部は、第１測定光生成開口１２１ａを通過し、テストライン形成領域Ｌ１００ａへ向かう第１測定光となる。第１測定光は、クロマトグラフィー試験片Ｃ１００の試験面Ｐ１００で反射し、反射した測定光のうち、試験面Ｐ１００に対して垂直な方向へ向かう反射光が、第１反射光となる。第１反射光は、第１反射光受光１１５ａによって検知される。クロマトグラフィー試験片呈色測定装置１００では、検知した第１反射光を用いて、テストライン形成領域Ｌ１００ａにおける呈色の度合いを測定する。
【００４２】
一方、測定光投光ＬＥＤ１１１から投光された測定光のうち一部は、第２測定光生成開口１２１ｂを通過し、テストラインへ向かう第２測定光となる。第２測定光は、クロマトグラフィー試験片Ｃ１００の試験面Ｐ１００で反射し、反射した測定光のうち、試験面Ｐ１００に対して垂直な方向へ向かう反射光が、第２反射光となる。第２反射光は、第２反射光受光１１５ｂによって検知される。クロマトグラフィー試験片呈色測定装置１００では、検知した第２反射光を用いて、コントロールライン形成領域Ｌ１００ｂにおける呈色の度合いを測定する。
【００４３】
このように、クロマトグラフィー試験片呈色測定装置１００では、１回の測定光投光ＬＥＤ１１１からの投光によって、同時に、クロマトグラフィー試験片Ｃ１００のテストライン形成領域Ｌ１００ａ及びコントロールライン形成領域Ｌ１００ｂにおける呈色の度合いを測定することができる。つまり、より容易にクロマトグラフィー試験片Ｃ１００のテストライン形成領域Ｌ１００ａ及びコントロールライン形成領域Ｌ１００ｂにおける呈色の度合いを測定することができる。
【００４４】
［その他の実施例］
（１）測定光投光ＬＥＤ１１１：前述の実施例１においては、測定光投光ＬＥＤ１１１を用いて測定光を投光するとしたが、所定の測定光を投光できるものであれば例示のものに限定されない。例えば、ＬＥＤでない光源であってもよい。
【００４５】
（２）第１測定光生成開口１２１ａ、第１反射光生成開口１２３ａ、第２測定光生成開口１２１ｂ、及び、第２反射光生成開口１２３ｂの形状：前述の実施例１においては、
第１測定光生成開口１２１ａ、第１反射光生成開口１２３ａ、第２測定光生成開口１２１ｂ、及び、第２反射光生成開口１２３ｂは、それぞれ、円形の開口としたが、測定光、及び、反射光を形成できる開口であれば、例示のものに限定されない。例えば、多角形形状の開口であっても、スリット形状の開口であってもよい。
【００４６】
（３）第１測定光生成開口１２１ａ、第１反射光生成開口１２３ａ、第２測定光生成開口１２１ｂ、及び、第２反射光生成開口１２３ｂの形成位置：前述の実施例１においては、第１測定光生成開口１２１ａ、及び、第２測定光生成開口１２１ｂは、測定光調整部材１１３に対する測定光投光ＬＥＤ１１１の投影位置を中心に、ほぼ対象な位置に形成されるが、所定の位置に向かう第１測定光、第２測定光を生成できる開口であれば、例示の位置に限定されない。例えば、図５に示すように、測定光調整部材１１３に対する測定光投光ＬＥＤ１１１の投影位置を中心から第１反射光生成開口１２３ａまでの距離と、同様に第２反射光生成開口１２３ｂまでの距離とが、異なるようにしてもよい。第１測定光生成開口１２１ａ、及び、第２測定光生成開口１２１ｂについても、同様である。
【００４７】
なお、この場合、第２反射光生成開口１２３ｂを測定光調整部材１１３において、クロマトグラフィー試験片Ｃ１００においてコントロールライン形成領域Ｌ１００ｂが形成されている位置で、クロマトグラフィー試験片Ｃ１００の試験面Ｐ１００に対して垂直な方向に形成されるのではなく、クロマトグラフィー試験片Ｃ１００においてコントロールライン形成領域Ｌ１００ｂが形成されている位置から所定方向にずれて、第２反射光生成開口１２３ｂが形成され、また、第２反射光受光ＰＤ１１５ｂも、同様に所定方向にずれて配置される。
【００４８】
（４）測定光遮断部材１１７の形状：前述の実施例１においては、円筒形状部材の測定光遮断部材１１７を用いて、測定光投光ＬＥＤ１１１が投光する測定光が直接的に第１反射光受光ＰＤ１１５ａ、第２反射光受光ＰＤ１１５ｂに受光されないようにしたが、例示のものに限定されない。例えば、中空の多角柱部材を配置するようにしてもよい。また、測定光投光ＬＥＤ１１１と第１反射光受光ＰＤ１１５ａとの間、及び、測定光投光ＬＥＤ１１１と第２反射光受光ＰＤ１１５ｂとの間、それぞれに、所定幅の板状部材を配置するようにしてもよい。
【００４９】
また、測定光投光ＬＥＤ１１１を含むような円筒形状の測定光遮断部材１１７を形成するのではなく、図６に示すように、第１反射光生成開口１２３ａ及び第１反射光受光ＰＤ１１５ａを含むような円筒形状部材である測定光遮断部材１２７ａを形成するようにしてもよい。第２反射光生成開口１２３ｂ及び第２反射光受光ＰＤ１１５ｂについても、同様に測定光遮断部材１２７ｂを形成するようにしてもよい。さらに、第１反射光生成開口１２３ａ及び第１反射光受光ＰＤ１１５ａを含むような円筒形状部材、及び、第２反射光生成開口１２３ｂ及び第２反射光受光ＰＤ１１５ｂを含むような円筒形状部材に加えて、測定光投光ＬＥＤ１１１を含むような円筒形状の測定光遮断部材１１７を形成するようにしてもよい。
【００５０】
（５）第１測定光、第２測定光、第１反射光、第２反射光の生成：前述の実施例１においては、第１測定光生成開口１２１ａを用いて測定光投光ＬＥＤ１１１が投光する測定光から第１測定光を生成したが、さらに、凸レンズ等、所定の光学系を用いて、第１測定光を形成するようにしてもよい。第２測定光、第１反射光、第２反射光についても同様である。
【産業上の利用可能性】
【００５１】
本発明に係るクロマトグラフィー試験片呈色測定装置は、例えば、血液の免疫作用を測定するクロマトグラフィー試験片呈色測定装置に用いることができる。
【符号の説明】
【００５２】
１００      クロマトグラフィー試験片呈色測定装置
１００Ｔ    導入トレイ
１００Ｂ    操作領域
１０３      クロマトグラフィー試験片保持部材
１０３ａ    検体点着用開口
１０３ｂ    呈色測定用開口
１１１      測定光投光ＬＥＤ
１１３      測定光調整部材
１２１ａ    第１測定光生成開口
１２１ｂ    第２測定光生成開口
１２３ａ    第１反射光生成開口
１２３ｂ    第２反射光生成開口
１１５ａ    第１反射光受光ＰＤ
１１５ｂ    第２反射光受光ＰＤ
１１７      測定光遮断部材
１２７ａ    測定光遮断部材
１２７ｂ    測定光遮断部材
Ｃ１００    クロマトグラフィー試験片
Ｐ１００    試験面
Ｒ１００ａ  検体点着領域
Ｒ１００ｂ  試験領域
Ｌ１００ａ  テストライン形成領域
Ｌ１００ｂ  コントロールライン形成領域
【図１】
2017201282.tif 000003
【図２】
2017201282.tif 000004
【図３】
2017201282.tif 000005
【図４】
2017201282.tif 000006
【図５】
2017201282.tif 000007
【図６】
2017201282.tif 000008
【図７】
2017201282.tif 000009